【手続補正書】
【提出日】平成12年3月3日(2000.3.3)
【手続補正１】
【補正対象書類名】明細書
【補正対象項目名】特許請求の範囲
【補正方法】変更
【補正の内容】
【特許請求の範囲】
【請求項１】
ＷＤＭ信号を搬送する光ファイバの２つのアレイ間の光チャネルの波長ルーチングを提供する光波長スイッチの相互接続アレイを有する光クロスコネクト・ネットワークにおける、
（ａ）ＷＤＭ信号を伝える入力ポートと、
（ｂ）前記ＷＤＭ信号の第１及び第２スペクトル帯を伝える２つの出力ポートと、
（ｃ）前記入力ＷＤＭ信号を、直交偏光を有し空間的に分離された第１ビームと第２ビームとに分解する偏光分離素子と、
（ｄ）前記第１ビームの偏光を前記第２ビームの偏光とほぼ一致するように回転させる第１制御状態と、前記第２ビームの偏光を前記第１ビームの偏光とほぼ一致するように回転させる第２制御状態とを有する第１偏光回転子であって、前記第１偏光回転子の前記制御状態が外部制御信号によって切換可能である第１偏光回転子と、
（ｅ）前記第１偏光回転子から前記第１及び第２ビームを受信するよう結合された波長フィルタであって、前記波長フィルタが、前記第１ビームが偏光が互いに直交している第３及び第４ビームに分解され、前記第２ビームが偏光が互いに直交している第５及び第６ビームに分解されるような偏光依存光伝送機能を有し、その際前記第３及び第５ビームが第１偏光の第１スペクトル帯を搬送し、前記第４及び第６ビームが第２偏光の第２スペクトル帯を搬送し、かつその際前記第１及び第２スペクトル帯がほぼ相補的であり前記第１及び第２偏光が直交する波長フィルタと、
（ｆ）前記第３、第４、第５及び第６ビームを２対の直交偏光ビームに空間的に分離する偏光依存ルーチング素子と、
（ｇ）前記第３及び第５ビームが直交偏光となり前記第４及び第６ビームが直交偏光となるように、前記第３、第４、第５及び第６ビームを回転させる第２偏光回転子と、
（ｈ）前記第２偏光回転子から前記第３、第４、第５及び第６ビームを受信し、第１偏光回転子の前記制御状態に基づいて前記出力ポートの一方で前記第１スペクトル帯を含む前記第３及び第５ビームを空間的に再結合し、前記出力ポートのもう一方で前記第２スペクトル帯を含む前記第４及び第６ビームを空間的に再結合する偏光結合素子とを有する１×２光波長スイッチと、
前記第１偏光回転子の前記制御状態を制御する制御手段とを備える改善点。
【請求項２】
前記第１偏光回転子がさらに、
前記第１制御状態で前記第１ビームの偏光を回転させ、前記第２制御状態で前記第１ビームを回転せずに通過させる第１領域と、
前記第１制御状態で前記第２ビームを回転せずに通過させ、前記第２制御状態で前記第２ビームの偏光を回転させる第２領域とを備える、請求項１に記載の光クロスコネクト・ネットワーク。
【請求項３】
第２偏光回転子がさらに、
前記第５ビームの偏光を回転させる第１領域と、
前記第６ビームの偏光を回転させる第２領域と、
前記第３ビームを回転せずに通過させる第３領域と、
前記第４ビームを回転せずに通過させる第４領域とを備える、請求項１に記載の光クロスコネクト・ネットワーク。
【請求項４】
前記波長フィルタが、各波長板が所定の方向を向いた積層された複数の複屈折波長板を備える、請求項１に記載の光クロスコネクト・ネットワーク。
【請求項５】
光波長スイッチの前記アレイが、複数の前記１×２光波長スイッチから製作された１×Ｎ光波長スイッチを備える、請求項１に記載の光クロスコネクト・ネットワーク。
【請求項６】
光波長スイッチの前記アレイが、
前記ＷＤＭ信号を２つのスペクトル帯に分割する第１の１×２光波長スイッチと、
前記第１の１×２光波長スイッチからの前記２つのスペクトル帯を４つのチャネルに分割する並列の第２及び第３の１×２光波長スイッチとを各々有する１×４光波長スイッチを備える、請求項１に記載の光クロスコネクト・ネットワーク。
【請求項７】
前記１×４光波長スイッチがさらに、
前記４つの光チャネルの選択された第１及び第２のものに接続される第１の２×２光スイッチであって、前記第１の２×２光スイッチが前記制御手段の制御の元で前記第１及び第２光チャネルの順序を切換可能なように逆転させる第１の２×２光スイッチと、
前記４つの光チャネルの選択された第３及び第４のものに接続される第２の２×２光スイッチであって、前記第２の２×２光スイッチが前記制御手段の制御の元で前記第３及び第４光チャネルの順序を切換可能なように逆転させる第２の２×２光スイッチとを備える、請求項６に記載の光クロスコネクト・ネットワーク。
【請求項８】
前記光波長スイッチが、
入力ＷＤＭ信号をドロップ・チャネルの所定の集合と通過チャネルの残りの集合とに分割する第１の１×２光波長スイッチと、
出力ＷＤＭ信号を生成するために、前記通過チャネルをアド・チャネルの所定の集合と結合する第２の１×２光波長スイッチとを備える、請求項１に記載の光クロスコネクト・ネットワーク。
【請求項９】
さらに、前記ドロップ・チャネルをドロップ・チャネルの所定の第１集合とドロップ・チャネルの残りの第２集合とに分割する第３の１×２光波長スイッチを備える、請求項８に記載の光クロスコネクト・ネットワーク。
【請求項１０】
さらに、前記第２の１×２光波長スイッチについて前記アド・チャネルを生成するために、アド・チャネルの第１集合とアド・チャネルの第２の残りの集合を結合する第３の１×２光波長スイッチを備える、請求項８に記載の光クロスコネクト・ネットワーク。
【請求項１１】
前記波長フィルタが、前記偏光依存光伝送機能を提供する積層された複数の複屈折波長板を有する、請求項１に記載の光クロスコネクト・ネットワーク。
【請求項１２】
前記積層された複数の複屈折波長板が、方解石、金紅石、ニオブ酸リチウム、及びＹＶＯ４ ベースの結晶からなる材料のグループから選択される、請求項１１に記載の光クロスコネクト・ネットワーク。
【請求項１３】
ＷＤＭ信号を搬送する光ファイバの２つのアレイ間の光チャネルの波長ルーチングを提供する光波長スイッチの相互接続アレイを有する光クロスコネクト・ネットワークにおける、
（ａ）ＷＤＭ信号を伝える入力ポートと、
（ｂ）前記ＷＤＭ信号の第１及び第２スペクトル帯を伝える２つの出力ポートと、
（ｃ）前記入力ＷＤＭ信号を、直交偏光を有し空間的に分離された第１ビームと第２ビームとに分解する偏光分離素子と、
（ｄ）前記第１ビームの偏光を前記第２ビームの偏光とほぼ一致するように回転させる第１状態と、前記第２ビームの偏光を前記第１ビームの偏光とほぼ一致するように回転させる第２状態とを有する第１偏光回転子であって、前記第１偏光回転子の前記制御状態が外部制御信号によって切換可能である第１偏光回転子と、
（ｅ）前記第１偏光回転子から前記第１及び第２ビームを受信するよう結合された第１波長フィルタであって、前記第１波長フィルタが、前記第１ビームが偏光が互いに直交している第３及び第４ビームに分解され、前記第２ビームが偏光が互いに直交している第５及び第６ビームに分解されるような偏光依存光伝送機能を有し、その際前記第３及び第５ビームが第１偏光の第１スペクトル帯を搬送し、前記第４及び第６ビームが第２偏光の第２スペクトル帯を搬送し、かつその際前記第１及び第２スペクトル帯がほぼ相補的であり前記第１及び第２偏光が直交する第１波長フィルタと、
（ｆ）前記第３、第４、第５及び第６ビームを２対の直交偏光ビームに空間的に分離する偏光依存ルーチング素子と、
（ｇ）前記第１波長フィルタとほぼ同じ伝送機能を有する第１波長フィルタであって、前記第２波長フィルタが前記偏光依存ルーチング素子を出る前記第３、第４、第５及び第６ビームを回転させて、前記第１波長フィルタに入る前の前記第２ビームと同じ偏光状態に戻す第２波長フィルタと、
（ｈ）前記第３及び第５ビームが直交偏光となり前記第４及び第６ビームが直交偏光となるように、前記第１偏光回転子の前記制御状態によって前記第２波長フィルタを出る前記第３、第４、第５及び第６ビームの偏光を回転させる第２偏光回転子と、
（ｉ）前記第２偏光回転子から前記第３、第４、第５及び第６ビームを受信し、第１偏光回転子の前記制御状態に基づいて前記出力ポートの一方で前記第１スペクトル帯を含む前記第３及び第５ビームを空間的に再結合し、前記出力ポートのもう一方で前記第２スペクトル帯を含む前記第４及び第６ビームを空間的に再結合する偏光結合素子とを有する１×２光波長スイッチと、
前記第１偏光回転子と前記第２偏光回転子との前記制御状態を制御する制御手段とを備える改善点。
【請求項１４】
前記第１偏光回転子がさらに、
前記第１制御状態で前記第１ビームの偏光を回転させ、前記第２制御状態で前記第１ビームを回転せずに通過させる第１領域と、
前記第１制御状態で前記第２ビームを回転せずに通過させ、前記第２制御状態で前記第２ビームの偏光を回転させる第２領域とを備える、請求項１３に記載の光クロスコネクト・ネットワーク。
【請求項１５】
前記第２偏光回転子がさらに、
前記第５ビームの偏光を回転させる第１領域と、
前記第６ビームの偏光を回転させる第２領域と、
前記第３ビームを回転せずに通過させる第３領域と、
前記第４ビームを回転せずに通過させる第４領域とを備える、請求項１３に記載の光クロスコネクト・ネットワーク。
【請求項１６】
前記第１波長フィルタが、各波長板が所定の方向を向いた積層された複数の複屈折波長板を備える、請求項１３に記載の光クロスコネクト・ネットワーク。
【請求項１７】
前記第２波長フィルタが、各波長板が所定の方向を向いた積層された複数の複屈折波長板を備える、請求項１３に記載の光クロスコネクト・ネットワーク。
【請求項１８】
前記第１波長フィルタが前記偏光依存光伝送機能を提供する積層された複数の複屈折波長板を有し、前記第２波長フィルタが、前記第１波長フィルタの前記積層された複数の複屈折波長板とほぼ同じ前記伝送機能を提供する積層された複数の複屈折波長板を有する、請求項１３に記載の光クロスコネクト・ネットワーク。
【請求項１９】
前記第１波長フィルタの前記積層された複数の複屈折波長板が、方解石、金紅石、ニオブ酸リチウム、及びＹＶＯ４ ベースの結晶からなる材料のグループから選択される、請求項１８に記載の光クロスコネクト・ネットワーク。
【請求項２０】
前記第２波長フィルタの前記積層された複数の複屈折波長板が、方解石、金紅石、ニオブ酸リチウム、及びＹＶＯ４ ベースの結晶からなる材料のグループから選択される、請求項１８に記載の光クロスコネクト・ネットワーク。
【請求項２１】
Ｎ個の光チャネルを有するＷＤＭ光信号を搬送する光ファイバの第１アレイと第２アレイを相互接続する光クロスコネクト・ネットワークであって、前記光クロスコネクト・ネットワークが、
前記光チャネルの各々について光ファイバの前記第１アレイの１つと通信する入力ポートとＮ個の出力ポートの間の波長ルーチングを各々提供する１×Ｎ波長スイッチの第１アレイであって、前記１×Ｎ波長スイッチが、異なった順列の光チャネルを前記出力ポートに選択的にルーチングする複数の制御状態を有する１×Ｎ波長スイッチの第１アレイと、
前記光チャネルの各々について光ファイバの前記第２アレイの１つと通信する入力ポートとＮ個の出力ポートの間の波長ルーチングを各々提供する１×Ｎ波長スイッチの第２アレイであって、前記１×Ｎ波長スイッチが、異なった順列の光チャネルを前記出力ポートに選択的にルーチングする複数の制御状態を有する１×Ｎ波長スイッチの第２アレイと、
１×Ｎ波長スイッチの前記第１アレイの前記出力ポートと１×Ｎ波長スイッチの前記第２アレイの前記出力ポートとの間の光通信を提供する相互接続手段と、
光ファイバの前記第１及び第２アレイ間の望ましい相互接続を提供するために、１×Ｎ波長スイッチの前記第１及び第２アレイの前記制御状態を選択する制御手段とを備え、
その際前記１×Ｎ波長スイッチが、
（ａ）入力ＷＤＭ信号を、直交偏光を有し空間的に分離された第１ビームと第２ビームに分解する偏光分離素子と、
（ｂ）前記第１ビームの偏光を前記第２ビームの偏光とほぼ一致するように回転させる第１制御状態と、前記第２ビームの偏光を前記第１ビームの偏光とほぼ一致するように回転させる第２制御状態とを有する第１偏光回転子であって、前記第１偏光回転子の前記制御状態が前記制御手段によって切換可能である第１偏光回転子と、
（ｃ）前記第１偏光回転子から前記第１及び第２ビームを受信するよう結合された波長フィルタであって、前記波長フィルタが、前記第１ビームが偏光が互いに直交している第３及び第４ビームに分解され、前記第２ビームが偏光が互いに直交している第５及び第６ビームに分解されるような偏光依存光伝送機能を有し、前記第３及び第５ビームが第１偏光の第１スペクトル帯を搬送し、前記第４及び第６ビームが第２偏光の第２スペクトル帯を搬送し、その際前記第１及び第２スペクトル帯がほぼ相補的であり前記第１及び第２偏光が直交する波長フィルタと、
（ｄ）前記第３、第４、第５及び第６ビームを２対の直交偏光ビームに空間的に分離する偏光依存ルーチング素子と、
（ｅ）前記第３及び第５ビームが直交偏光となり前記第４及び第６ビームが直交偏光となるように前記第３、第４、第５及び第６ビームの偏光を回転させる第２偏光回転子と、
（ｆ）前記第２偏光回転子から前記第３、第４、第５及び第６ビームを受信し、前記第１スペクトル帯を含む前記第３及び第５ビームを空間的に再結合し、前記第２スペクトル帯を含む前記第４及び第６ビームを空間的に再結合する偏光結合素子とを有する複数の１×２波長スイッチを含む光クロスコネクト・ネットワーク。
【請求項２２】
前記第１偏光回転子がさらに、
前記第１制御状態で前記第１ビームの偏光を回転させ、前記第２制御状態で前記第１ビームを回転せずに通過させる第１領域と、
前記第１制御状態で前記第２ビームを回転せずに通過させ、前記第２制御状態で前記第２ビームの偏光を回転させる第２領域とを備える、請求項２１に記載の光クロスコネクト・ネットワーク。
【請求項２３】
前記第２偏光回転器がさらに、
前記第５ビームの偏光を回転させる第１領域と、
前記第６ビームの偏光を回転させる第２領域と、
前記第３ビームを回転せずに通過させる第３領域と、
前記第４ビームを回転せずに通過させる第４領域とを備える、請求項２１に記載の光クロスコネクト・ネットワーク。
【請求項２４】
前記波長フィルタが、各波長板が所定の方向を向いた積層された複数の複屈折波長板を備える、請求項２１に記載の光クロスコネクト・ネットワーク。
【請求項２５】
前記１×Ｎ光波長スイッチが１×４光波長スイッチであり、さらに、
前記ＷＤＭ信号を２つのスペクトル帯に分割する第１の１×２光波長スイッチと、
前記第１の１×２波長スイッチからの前記２つのスペクトル帯を４つの光チャネルに分割する並列の第２及び第３の１×２光波長スイッチとを備える、請求項２１に記載の光クロスコネクト・ネットワーク。
【請求項２６】
前記１×４光波長スイッチがさらに、
前記４つの光チャネルの選択された第１及び第２のものに接続される第１の２×２光スイッチであって、前記第１の２×２光スイッチが前記制御手段の制御の元で前記第１及び第２光チャネルの順序を切換可能なように逆転させる第１の２×２光スイッチと、
前記４つの光チャネルの選択された第３及び第４のものに接続される第２の２×２光スイッチであって、前記第２の２×２光スイッチが前記制御手段の制御の元で前記第３及び第４光チャネルの順序を切換可能なように逆転させる第２の２×２光スイッチとを備える、請求項２５に記載の光クロスコネクト・ネットワーク。
【請求項２７】
前記波長フィルタが、前記偏光依存光伝送機能を提供する積層された複数の複屈折波長板を有する、請求項２１に記載の光クロスコネクト・ネットワーク。
【請求項２８】
前記積層された複数の複屈折波長板が、方解石、金紅石、ニオブ酸リチウム、及びＹＶＯ４ ベースの結晶からなる材料のグループから選択される、請求項２７に記載の光クロスコネクト・ネットワーク。
【請求項２９】
切換可能波長ルータであって、
ＷＤＭ光信号を受信し前記ＷＤＭ光信号を、直交偏光を有し空間的に分離された第１ビームと第２ビームとに分解する第１複屈折素子と、
前記第１ビームの偏光を前記第２ビームの偏光とほぼ一致するように回転させる第１制御状態と、前記第２ビームの偏光を前記第１ビームの偏光とほぼ一致するように回転させる第２制御状態とを有する第１偏光回転子であって、前記第１偏光回転子の前記制御状態が外部制御信号によって切換可能である第１偏光回転子と、
前記第１偏光回転子から前記第１及び第２ビームを受信するよう結合された波長フィルタであって、前記波長フィルタが、前記第１ビームが偏光が互いに直交している第３及び第４ビームに分解され、前記第２ビームが偏光が互いに直交している第５及び第６ビームに分解されるような偏光依存光伝送機能を提供する積層された複数の複屈折波長板を有し、その際前記第３及び第５ビームが第１偏光の第１の所定のスペクトル帯を搬送し、前記第４及び第６ビームが第２偏光の第２の所定のスペクトル帯を搬送し、その際前記第１及び第２スペクトル帯がほぼ相補的であり前記第１及び第２偏光が直交する波長フィルタと、
前記第３、第４、第５及び第６ビームを４つの水平偏光および垂直偏光成分に空間的に分離する第２複屈折素子と、
前記第３及び第５ビームが直交偏光となり前記第４及び第６ビームが直交偏光となるように前記第３、第４、第５及び第６ビームの偏光を回転させる第２偏光回転子と、
前記第２偏光回転子から前記第３、第４、第５及び第６ビームを受信し、前記第１スペクトル帯を含む前記第３及び第５ビームを空間的に再結合し、前記第２スペクトル帯を含む前記第４及び第６ビームを空間的に再結合する第３複屈折素子とを備えるルータ。
【請求項３０】
前記第１偏光回転子がさらに、
前記第１制御状態で前記第１ビームの偏光を回転させ、前記第２制御状態で前記第１ビームを回転せずに通過させる第１領域と、
前記第１制御状態で前記第２ビームを回転せずに通過させ、前記第２制御状態で前記第２ビームの偏光を回転させる第２領域とを備える、請求項２９に記載のルータ。
【請求項３１】
前記第２偏光回転子がさらに、
前記第５ビームの偏光を回転させる第１領域と、
前記第６ビームの偏光を回転させる第２領域と、
前記第３ビームを回転せずに通過させる第３領域と、
前記第４ビームを回転せずに通過させる第４領域とを備える、請求項２９に記載のルータ。
【請求項３２】
前記積層された複数の複屈折波長板が、方解石、金紅石、ニオブ酸リチウム、及びＹＶＯ４ ベースの結晶からなる材料のグループから選択される、請求項２９に記載のルータ。